(57)【要約】  映像データの再生装置において、情報記録媒体から情報の読み出しを行う読み出し部１０６と、読み出し部１０６を制御する制御部１０３とを備え、第一のコンテンツは、第一の情報と、第一の映像データとを有し、第二のコンテンツは、第二の情報と、第一の映像データとは異なるフォーマットで記録された第二の映像データとを有し、第一の情報は、第一の映像データとは異なるフォーマットで記録された第三の映像データの管理情報の一部であり、第二の情報は、第二の映像データの管理情報の一部であり、読み出し部１０６は、第一のコンテンツから第一の情報を、第二のコンテンツから第二の情報を読み出して制御部１０３へ出力し、制御部１０３は、第一の情報と第二の情報とが一致しているとき、第一の映像データを再生する。このように、フォーマットが異なる画像データを持つコンテンツ同士の関連性が有るときに限り、第一の映像データを再生する。
2010143243.tif 000002
【特許請求の範囲】
【請求項１】
第一の映像データを再生する再生装置であって、
情報記録媒体から情報の読み出しを行う読み出し部と、
前記読み出し部を制御する制御部とを備え、
第一のコンテンツは、第一の情報と、前記第一の映像データとを有し、
第二のコンテンツは、第二の情報と、前記第一の映像データとは異なるフォーマットで記録された第二の映像データとを有し、
前記第一の情報は、前記第一の映像データとは異なるフォーマットで記録された第三の映像データの管理情報の一部であり、
前記第二の情報は、前記第二の映像データの管理情報の一部であり、
前記読み出し部は、前記第一のコンテンツから前記第一の情報を、前記第二のコンテンツから前記第二の情報を、それぞれ読み出して前記制御部へ出力し、
前記制御部は、前記第一の情報と前記第二の情報とが一致しているとき、前記第一の映像データを再生する
ことを特徴とする再生装置。
【請求項２】
請求項１に記載の再生装置であって、
前記制御部は、前記第一の情報と前記第二の情報とが一致していないとき、前記第一の映像データを再生しない
ことを特徴とする再生装置。
【請求項３】
請求項１に記載の再生装置であって、
前記第二の映像データと前記第三の映像データとが同一であるとき、
前記第一の情報と前記第二の情報とが一致する
ことを特徴とする再生装置。
【請求項４】
請求項１に記載の再生装置であって、
前記第一の映像データは、前記第二の映像データよりも高画質である
ことを特徴とする再生装置。
【請求項５】
請求項１に記載の再生装置であって、
前記第一のコンテンツは第一の情報記録媒体に、
前記第二のコンテンツは第二の情報記録媒体に、
それぞれ記録されている
ことを特徴とする再生装置。
【請求項６】
請求項１に記載の再生装置であって、
前記制御部は、記録部を備える
ことを特徴とする再生装置。
【請求項７】
請求項６に記載の再生装置であって、
前記第一の情報と前記第二の情報とが一致しているとき、
前記制御部は、前記第一の映像データが再生許可されたことを示す再生許可情報を前記記録部に記録する
ことを特徴とする再生装置。
【請求項８】
請求項７に記載の再生装置であって、
前記制御部は、前記再生許可情報が前記記録部に記録されているとき、前記第一の情報及び前記第二の情報を読み出さないように前記読み出し部を制御し、前記第一の映像データを再生する
ことを特徴とする再生装置。
【請求項９】
請求項６に記載の再生装置であって、
前記制御部は、前記第二の情報を前記記録部に記録する
ことを特徴とする再生装置。
【請求項１０】
請求項９に記載の再生装置であって、
前記読み出し部は、前記第一のコンテンツから第一の情報を読み出して前記制御部へ出力し、
前記制御部は、前記第一の情報と、前記記録部に記録された前記第二の情報とが一致しているとき、前記第二のコンテンツから前記第二の情報を読み出さないように前記読み出し部を制御し、前記第一の映像データを再生する
ことを特徴とする再生装置。
【請求項１１】
請求項１０に記載の再生装置であって、
前記第一のコンテンツは第一の情報記録媒体に、
前記第二のコンテンツは第二の情報記録媒体に、
それぞれ記録されている
ことを特徴とする再生装置。
【請求項１２】
再生装置により第一の映像データを再生する再生方法であって、
第一のコンテンツは、第一の情報と、前記第一の映像データとを有し、
第二のコンテンツは、第二の情報と、前記第一のフォーマットとは異なるフォーマットで記録された第二の映像データとを有し、
前記第一の情報は、前記第一の映像データとは異なるフォーマットで記録された第三の映像データの管理情報の一部であり、
前記第二の情報は、前記第二の映像データの管理情報の一部であり、
前記第一のコンテンツから読み出した前記第一の情報と、前記第二のコンテンツから読み出した前記第二の情報とを比較して、
前記第一の情報と前記第二の情報とが一致しているとき、前記第一の映像データを再生する
ことを特徴とする再生方法。
【請求項１３】
請求項１２に記載の再生方法であって、
前記第一の情報と前記第二の情報とが一致していないとき、前記第一の映像データを再生しない
ことを特徴とする再生方法。
【請求項１４】
請求項１２に記載の再生方法であって、
前記第二の映像データと前記第三の映像データとが同一であるとき、
前記第一の情報と前記第二の情報とが一致する
ことを特徴とする再生方法。
【請求項１５】
請求項１２に記載の再生方法であって、
前記第一の映像データは、前記第二の映像データよりも高画質である
ことを特徴とする再生方法。
【請求項１６】
請求項１２に記載の再生方法であって、
前記第一のコンテンツは第一の情報記録媒体に、
前記第二のコンテンツは第二の情報記録媒体に、
それぞれ記録されている
ことを特徴とする再生方法。
【請求項１７】
第一の映像データを再生するプログラムであって、
第一のコンテンツは、第一の情報と、前記第一の映像データとを有し、
第二のコンテンツは、第二の情報と、前記第一の映像データとは異なるフォーマットで記録された第二の映像データとを有し、
前記第一の情報は、前記第一の映像データとは異なるフォーマットで記録された第三の映像データの管理情報の一部であり、
前記第二の情報は、前記第二の映像データの管理情報の一部であり、
前記第一のコンテンツから読み出した前記第一の情報と、前記第二のコンテンツから読み出した前記第二の情報とを比較して、
前記第一の情報と前記第二の情報とが一致しているとき、前記第一の映像データを再生させる
ことを特徴とするプログラム。
【請求項１８】
請求項１７に記載のプログラムであって、
前記第一の情報と前記第二の情報とが一致していないとき、前記第一の映像データを再生させない
ことを特徴とするプログラム。
【請求項１９】
請求項１７に記載のプログラムであって、
前記第二の映像データと前記第三の映像データとが同一であるとき、
前記第一の情報と前記第二の情報とが一致する
ことを特徴とするプログラム。
【請求項２０】
請求項１７に記載のプログラムであって、
前記第一の映像データは、前記第二の映像データよりも高画質である
ことを特徴とするプログラム。
【請求項２１】
請求項１７に記載のプログラムであって、
前記第一のコンテンツは第一の情報記録媒体に、
前記第二のコンテンツは第二の情報記録媒体に、
それぞれ記録されている
ことを特徴とするプログラム。
【請求項２２】
第一のコンテンツが記録された情報記録媒体であって、
前記第一のコンテンツは、第一の情報と、第一の映像データと、プログラムとを有し、
第二のコンテンツは、第二の情報と、前記第一の映像データとは異なるフォーマットで記録された第二の映像データとを有し、
前記第一の情報は、前記第一の映像データとは異なるフォーマットで記録された第三の映像データの管理情報の一部であり、
前記第二の情報は、前記第二の映像データの管理情報の一部であり、
前記プログラムは、前記第一のコンテンツから読み出した前記第一の情報と、前記第二のコンテンツから読み出した第二の情報とを比較して、
前記第一の情報と前記第二の情報が一致しているとき、前記第一の映像データを再生させる
ことを特徴とする情報記録媒体。
【請求項２３】
請求項２２に記載の情報記録媒体であって、
前記第二のコンテンツは、前記情報記録媒体とは異なる第二の情報記録媒体に記録されている
ことを特徴とする情報記録媒体。
【請求項２４】
請求項２２に記載の情報記録媒体であって、
前記プログラムは、前記第一の情報と前記第二の情報とが一致していないとき、前記第一の映像データを再生させない
ことを特徴とする情報記録媒体。
【請求項２５】
請求項２２に記載の情報記録媒体であって、
前記第二の映像データと前記第三の映像データとが同一であるとき、
前記第一の情報と前記第二の情報とが一致する
ことを特徴とする情報記録媒体。
【請求項２６】
請求項２２に記載の情報記録媒体であって、
前記第一の映像データは、前記第二の映像データよりも高画質である
ことを特徴とする情報記録媒体。
【請求項２７】
第一の映像データを再生させる半導体集積回路であって、
第一のコンテンツは、第一の情報と、前記第一の映像データとを有し、
第二のコンテンツは、第二の情報と、前記第一の映像データとは異なるフォーマットで記録された第二の映像データとを有し、
前記第一の情報は、前記  第一の映像データとは異なるフォーマットで記録された第三の映像データの管理情報の一部であり、
前記第二の情報は、前記第二の映像データの管理情報の一部であり、
前記第一のコンテンツから読み出した前記第一の情報と、前記第二のコンテンツから読み出した前記第二の情報とを比較して、
前記第一の情報と前記第二の情報とが一致しているとき、前記第一の映像データを再生させる
ことを特徴とする半導体集積回路。
【請求項２８】
請求項２７に記載の半導体集積回路であって、
前記第一の情報と前記第二の情報とが一致していないとき、前記第一の映像データを再生させない
ことを特徴とする半導体集積回路。
【請求項２９】
請求項２７に記載の半導体集積回路であって、
前記第二の映像データと前記第三の映像データとが同一であるとき、
前記第一の情報と前記第二の情報とが一致する
ことを特徴とする半導体集積回路。
【請求項３０】
請求項２７に記載の半導体集積回路であって、
前記第一の映像データは、前記第二の映像データよりも高画質である
ことを特徴とする半導体集積回路。
【請求項３１】
請求項２７に記載の半導体集積回路であって、
前記第一のコンテンツは第一の情報記録媒体に、
前記第二のコンテンツは第二の情報記録媒体に、
それぞれ記録されている
ことを特徴とする半導体集積回路。
【発明の詳細な説明】
【技術分野】
【０００１】
本発明は、情報再生技術に関するものである。
【背景技術】
【０００２】
近年、ブルーレイディスク（Ｂｌｕ−ｒａｙ  Ｄｉｓｃ、以下ＢＤと表す）、ディーブイディー（以下ＤＶＤと表す）など様々な種類の情報記録媒体が用いられている。ＢＤに映像データを記録する際にはＢＤフォーマットが適用され、ＤＶＤに映像データを記録する際にはＤＶＤフォーマットが適用されるように、情報記録媒体の種類ごとに映像データのフォーマットは異なる場合が多い。また情報記録媒体が同一種類であっても、映像データの画質が異なれば、異なるフォーマットが適用される場合がある。このように、現状では映像データのフォーマットが幾種類も混在している。【０００３】
特許文献１に記載された従来技術によれば、同一種類の二つの情報記録媒体に記録された二つのコンテンツ同士の関連性の有無を特定して、アプリケーションの実行を制御する再生装置が知られている。この場合、二つのコンテンツに含まれる映像データは同一フォーマットである。
【先行技術文献】
【特許文献】
【０００４】
【特許文献１】ＷＯ２００６／０８２８９２号公報
【発明の概要】
【発明が解決しようとする課題】
【０００５】
しかしながら、前記従来技術では、フォーマットが異なる映像データを持つコンテンツ同士の関連性の有無を特定することは出来ない。なぜなら、前記従来技術では、第１ディスクから第２ディスクへの交換時において、第１ディスクで最後に再生されたコンテンツに対応する管理テーブルと、第２ディスクで最初に再生されるコンテンツに対応する管理テーブルとを照合するが、この照合は同一フォーマットを想定しているからである。【０００６】
そこで、本発明の目的は、フォーマットが異なる映像データを持つコンテンツ同士の関連性の有無を特定して、映像データの再生を制御する技術を提案することにある。
【課題を解決するための手段】
【０００７】
本発明に係る再生装置は、第一の映像データを再生する再生装置であって、情報記録媒体から情報の読み出しを行う読み出し部と、前記読み出し部を制御する制御部とを備え、第一のコンテンツは、第一の情報と、前記第一の映像データとを有し、第二のコンテンツは、第二の情報と、前記第一の映像データとは異なるフォーマットで記録された第二の映像データとを有し、前記第一の情報は、前記第一の映像データとは異なるフォーマットで記録された第三の映像データの管理情報の一部であり、前記第二の情報は、前記第二の映像データの管理情報の一部であり、前記読み出し部は、前記第一のコンテンツから前記第一の情報を、前記第二のコンテンツから前記第二の情報を、それぞれ読み出して前記制御部へ出力し、前記制御部は、前記第一の情報と前記第二の情報とが一致しているとき、前記第一の映像データを再生することを特徴とする再生装置である。【０００８】
本発明によると、第一のコンテンツから読み出した第一の情報と、第二のコンテンツから読み出した第二の情報を比較することによって、フォーマットが異なる映像データを有するコンテンツ同士の関連の有無を特定して、関連が有るときに映像データを再生することができる。【０００９】
また、好ましくは、前記制御部は、前記第一の情報と前記第二の情報とが一致していないとき、前記第一の映像データを再生しないことを特徴とする再生装置である。【００１０】
この構成により、フォーマットが異なる映像データを有するコンテンツ同士の関連の有無を特定して、関連が無いときに映像データを再生しないことができる。【００１１】
また、好ましくは、前記第二の映像データと前記第三の映像データとが同一であるとき、前記第一の情報と前記第二の情報とが一致することを特徴とする再生装置である。【００１２】
この構成により、第二の映像データと第三の映像データとが同一である場合は、第一の映像データを再生することができる。【００１３】
また、好ましくは、前記第一の映像データは、前記第二の映像データよりも高画質であることを特徴とする再生装置である。【００１４】
この構成により、第一のコンテンツから読み出した第一の情報と、第二のコンテンツから読み出した第二の情報とを比較することによって、フォーマットが異なる映像データを有するコンテンツ同士の関連の有無を特定して、関連が有るときにより高画質な映像データを再生することができる。【００１５】
また、好ましくは、前記第一のコンテンツは第一の情報記録媒体に、前記第二のコンテンツは第二の情報記録媒体に、それぞれ記録されていることを特徴とする再生装置である。【００１６】
この構成により、異なる情報記録媒体に記録された、フォーマットが異なる映像データを有するコンテンツ同士の関連の有無を特定して、関連が有るときに映像データを再生することができる。【００１７】
また、好ましくは、前記制御部は、記録部を備えることを特徴とする再生装置である。【００１８】
この構成により、制御部に情報を記録することができる。【００１９】
また、好ましくは、前記第一の情報と前記第二の情報とが一致しているとき、前記制御部は、前記第一の映像データが再生許可されたことを示す再生許可情報を前記記録部に記録することを特徴とする再生装置である。【００２０】
この構成により、再生が許可されたことを示す再生許可情報を記録部に記録していくことができる。【００２１】
また、好ましくは、前記制御部は、前記再生許可情報が前記記録部に記録されているとき、前記第一の情報及び前記第二の情報を読み出さないように前記読み出し部を制御し、前記第一の映像データを再生することを特徴とする再生装置である。【００２２】
この構成により、再生許可情報が記録部に記録されているときには、第一の情報と第二の情報との読み出しを省略することができる。【００２３】
また、好ましくは、前記制御部は、前記第二の情報を前記記録部に記録することを特徴とする再生装置である。【００２４】
この構成により、第二の情報を記録部に記録することができる。【００２５】
また、好ましくは、前記読み出し部は、前記第一のコンテンツから第一の情報を読み出して前記制御部へ出力し、前記制御部は、前記第一の情報と、前記記録部に記録された前記第二の情報とが一致しているとき、前記第二のコンテンツから前記第二の情報を読み出さないように前記読み出し部を制御し、前記第一の映像データを再生することを特徴とする再生装置である。【００２６】
この構成により、第一の情報と、記録部に記録された第二の情報とが一致しているとき、第二のコンテンツから第二の情報を読み出すことなく、第一の映像データを再生することができる。【００２７】
また、好ましくは、前記第一のコンテンツは第一の情報記録媒体に、前記第二のコンテンツは第二の情報記録媒体に、それぞれ記録されていることを特徴とする再生装置である。【００２８】
この構成により、第一の情報と、記録部に記録された第二の情報とが一致しているとき、第二の情報記録媒体に記録された第二のコンテンツから第二の情報の読み出しを行うことなく、第一の映像データを再生することができる。
【発明の効果】
【００２９】
以上説明したように、本発明によれば、第一のコンテンツから読み出した第一の情報と、第二のコンテンツから読み出した第二の情報とを比較することによって、フォーマットが異なる映像データを持つコンテンツ同士の関連性の有無を特定して、関連性が有るときに映像データを再生することができる。
【図面の簡単な説明】
【００３０】
【図１】図１は本発明の実施の形態における再生装置の構成を示すブロック図である。
【図２】図２は同実施の形態における情報比較ステップで利用できる情報の一例を示すブロック図である。
【図３】図３は同情報比較ステップで利用できる情報の他の一例を示すブロック図である。
【図４】図４は同情報比較ステップで利用できる情報の更に他の一例を示すブロック図である。
【図５】図５は本発明の実施の形態１における再生方法を示すフローチャート図である。
【図６】図６は本発明の実施の形態２における再生方法を示すフローチャート図である。
【図７】図７は本発明の実施の形態３における再生方法を示すフローチャート図である。
【図８】図８は本発明の実施の形態３の変形例におけるＳＤ画質のコンテンツがＨＤに記録されている場合の再生方法を示すフローチャート図である。
【図９】図９は本発明の実施の形態４における再生方法を示すフローチャート図である。
【発明を実施するための形態】
【００３１】
以下では、本発明の実施の形態に共通する事項について述べる。但し、本発明は実施の形態に限定されるものではない。
【００３２】
本発明に係る再生装置の一例を図１に示す。再生装置１０１は、ユーザインターフェース（Ｕｓｅｒ  Ｉｎｔｅｒｆａｃｅ、以下ＵＩと表す）部１０２と、中央演算処理装置（Ｃｅｎｔｒａｌ  Ｐｒｏｃｅｓｓｉｎｇ  Ｕｎｉｔ、以下ＣＰＵと表す）１０４及びメモリ１０５などから構成される制御部１０３と、読み出し部１０６と、デコーダ部１０７と、出力部１０８とを有する。スピーカー１０９とディスプレイ１１０はプラズマテレビや液晶テレビなどの映像表示装置を構成するものとする。情報記録媒体１１１、１１２、１１３は物理的に異なる情報記録媒体である。以下に記す実施の形態においては、情報記録媒体１１１はＢＤ、情報記録媒体１１２はＤＶＤ、情報記録媒体１１３はハードディスク（Ｈａｒｄ  Ｄｉｓｋ、以下ＨＤと表す）であるとする。ＨＤ１１３は再生装置１０１に内蔵されることが一般的であるものの、外部に取り付けることも可能である。制御部１０３、デコーダ部１０７、出力部１０８は半導体集積回路１１４に含まれる。
【００３３】
ＵＩ部１０２は、例えば、キーボード、ボタン、リモートコントローラーなどの操作手段と、操作手段を用いた入力動作に応じて信号を生成して制御部１０３に出力する入力制御回路などから構成される。
【００３４】
制御部１０３は、再生装置１０１の動作全般を制御する。例えば制御部１０３は、読み出し部１０６に対して、情報記録媒体１１１、１１２、１１３に記録された情報を読み出し、読み出した情報を制御部１０３又はデコーダ部１０７に出力するよう指示をする。また、制御部１０３はデコーダ部１０７、出力部１０８等の制御も行う。
【００３５】
ＣＰＵ１０４及びメモリ１０５は制御部１０３を構成する。メモリ（記録部）１０５は、制御部１０３の動作に要するプログラムやデータ等が保存されたリードオンリーメモリと、ＣＰＵ１０４がワーク領域として利用するランダムアクセスメモリとを有する。
【００３６】
読み出し部１０６はピックアップ制御部や機械制御部などから構成されており、制御部１０３からの信号に応じて、情報記録媒体１１１、１１２、１１３等に記録されたコンテンツの読み出しを行う。コンテンツには、映像データ、映像データの管理情報等が含まれている。コンテンツには更に、プログラムなどが含まれている場合もある。読み出し部１０６によって読み出された映像データは、読み出し部１０６からデコーダ部１０７へと出力される。映像データの管理情報、プログラム等は、読み出し部１０６から制御部１０３に出力される。制御部１０３は映像データのフォーマットに応じた復号をデコーダ部１０７に指示する。デコーダ部１０７は、制御部１０３の指示に従って映像データをデジタルデータへ復号し、出力部１０８へと出力する。出力部１０８はデジタルデータをデジタルアナログ変換し、アナログデータをスピーカー１０９とディスプレイ１１０へ出力する。プログラムは制御部１０３で実行される。
【００３７】
本発明における管理情報とは、映像データのフォーマットや構成等に関する情報である。具体的には、映像データのタイトル、タイトル総数、該当タイトルのアングル総数、該当タイトルのチャプター総数、音声ストリーム総数、字幕ストリーム総数、タイトルの全再生時間、タイトルの禁止するユーザ操作等である。映像データがＤＶＤフォーマットで記録されている場合の管理情報の例を図２、図３、図４に示した。
【００３８】
図２において、ＤＶＤフォーマットで記録されている映像データの管理情報に含まれるビデオマネージャ情報（ＶＭＧＩ）には、ＶＩＤＥＯ＿ＴＳディレクトリに関する情報が格納されている。ＶＭＧＩは、ビデオマネージャ情報管理テーブル（ＶＭＧＩ＿ＭＡＴ）、タイトルサーチポインタテーブル（ＴＴ＿ＳＲＰＴ）などで構成される。このＴＴ＿ＳＲＰＴには、タイトルサーチポインタテーブル情報（ＴＴ＿ＳＲＰＴＩ）と、１から９９までのタイトル番号が付与されるタイトル＃ｎ番用タイトルサーチポインタ（ＴＴ＿ＳＲＰ＃ｎ）が記述されている。ＴＴ＿ＳＲＰＴＩに含まれるＴＴ＿ＳＲＰ＿ＮＳには、タイトルサーチポインタの数、すなわちタイトル総数が記述されている。ＴＴ＿ＳＲＰ＃ｎに含まれる情報のうち、例えばＡＧＬ＿Ｎｓは該当タイトル内のアングル総数情報であり、ＰＴＴ＿Ｎｓはタイトル内のチャプター総数情報である。
【００３９】
図３において、ＤＶＤフォーマットで記録されている映像データの管理情報に含まれるビデオタイトルセット情報（ＶＴＳＩ）には、１個以上のビデオタイトルとビデオタイトルセットメニュー（ＶＴＳＭ）のための情報が格納されている。ＶＴＳＩは、ビデオタイトルセット情報管理テーブル（ＶＴＳＩ＿ＭＡＴ）、ビデオタイトルセットＰＴＴサーチポインタテーブル（ＶＴＳ＿ＰＴＴ＿ＳＲＰＴ）などで構成される。このＶＴＳＩ＿ＭＡＴに含まれる情報のうち、ＶＴＳＭ＿ＡＳＴ＿ＮｓはＶＴＳＭ用の音声ストリーム総数情報であり、ＶＴＳＭ＿ＳＰＳＴ＿Ｎｓはビデオタイトルセット内のコンテンツの字幕ストリーム総数情報である。
【００４０】
図４において、ＤＶＤフォーマットで記録されている映像データの管理情報に含まれるプログラムチェーン一般情報（ＰＧＣ＿ＧＩ）は、プログラムチェーン（ＰＧＣ）の再生を制御するために用いられる。ＰＧＣ＿ＧＩに含まれる情報のうち、ＰＧＣ＿ＰＢ＿ＴＭはＰＧＣのタイトルの全再生時間の情報であり、ＰＧＣ＿ＵＯＰ＿ＣＴＬはＰＧＣ再生中にタイトルの禁止するユーザ操作である。
【００４１】
以下に説明する本発明の実施の形態においては、第一のコンテンツは第一の映像データと第一の情報とを有し、第二のコンテンツは第二の映像データと第二の情報とを有するとする。第二の映像データは、第一の映像データとは異なるフォーマットで記録されている。第一の情報は、第一の映像データとは異なるフォーマットで記録された第三の映像データの管理情報の一部であるとし、第二の情報は、第二の映像データの管理情報の一部であるとする。管理情報の一部としては、第一の映像データとは異なるフォーマットがＤＶＤフォーマットである場合は、図２、図３、図４の管理情報のうちの一つ又は幾つかの組み合わせを用いることが可能である。例えば、映像データのタイトル、タイトル総数、該当タイトルのアングル総数、該当タイトルのチャプター総数、音声ストリーム総数、字幕ストリーム総数、タイトルの全再生時間、タイトルの禁止するユーザ操作等のうちの一つ又は幾つかの組み合わせが考えられるが、本発明の管理情報の一部はこの例に限定されない。但し、第二の映像データと第三の映像データとが同一であるとき、第一の情報と第二の情報とが一致するように、第一の情報及び第二の情報を設定する。
【００４２】
（実施の形態１）
実施の形態１において、第一のコンテンツはＢＤ１１１に記録されており、第二のコンテンツはＤＶＤ１１２に記録されているとする。第一のコンテンツは第一の映像データと第一の情報に加えてプログラムを含むとし、第二のコンテンツは第二の映像データと第二の情報を含むとする。第一の映像データはＢＤフォーマットで記録された映画「ＡＢＣ」の映像データ（以下「ＡＢＣ＿ＢＤ」と表す）であるとする。第一の情報は第三の映像データの管理情報の一部であり、第三の映像データは第一の映像データとは異なるフォーマット、例えばＤＶＤフォーマットで記録された映画「ＡＢＣ」の映像データ（以下「ＡＢＣ＿ＤＶＤ」と表す）であるとする。つまり、実施の形態１では、第一の映像データ及び第三の映像データは同じタイトルの映画の映像データであるが、第一の映像データはＢＤフォーマットで記録されており、第三の映像データはＤＶＤフォーマットで記録されている。このように仮定すると、第一の情報は第三の映像データ「ＡＢＣ＿ＤＶＤ」の管理情報の一部ということになる。第一のコンテンツに含まれるプログラムは、Ｊａｖａ（登録商標）アプリケーションのプログラムであるとする。実施の形態１では、第一の情報と第二の情報とが一致した場合に「ＡＢＣ＿ＢＤ」が再生される。つまり、第二の映像データが「ＡＢＣ＿ＤＶＤ」であれば、第一の情報と第二の情報とが一致するため「ＡＢＣ＿ＢＤ」が再生される。第二の映像データが「ＡＢＣ＿ＤＶＤ」でなければ、第一の情報と第二の情報とが一致しないため、「ＡＢＣ＿ＢＤ」が再生されない。
【００４３】
本実施の形態１において、ＢＤフォーマットで記録された映画「ＡＢＣ」の第一の映像データ「ＡＢＣ＿ＢＤ」の再生方法を、図５のフローチャートを用いて説明する。尚、図５のフローチャートの再生方法手順は情報記録媒体に記録されたものであってもよい。
【００４４】
本実施の形態１の再生方法は、情報抽出ステップＳ１０１、情報比較ステップＳ１０２、再生許可ステップＳ１０３を有する。以下それぞれのステップについて説明する。
【００４５】
情報抽出ステップＳ１０１では、読み出し部１０６が、ＢＤ１１１に記録された第一のコンテンツから第一の情報を読み出して制御部１０３に出力する。
【００４６】
具体的には、先ず、ステップＳ２０１でユーザがＢＤ１１１を読み出し部１０６に挿入し、ステップＳ２０２でユーザが制御部１０３に対しＵＩ部１０２からＢＤ１１１に記録された「ＡＢＣ＿ＢＤ」の再生を指示する。尚、ユーザの指示を必要とせず、ＢＤ１１１が挿入されることにより、再生指示されたと制御部１０３が判断する場合もある。
【００４７】
ステップＳ２０３では、制御部１０３においてＪａｖａ（登録商標）アプリケーションが起動される。ステップＳ２０２における再生指示を受けて、読み出し部１０６はＢＤ１１１に記録されたＪａｖａ（登録商標）アプリケーションのプログラムを読み出して制御部１０３に出力する。制御部１０３では、Ｊａｖａ（登録商標）アプリケーションのプログラムがメモリ１０５に格納され、Ｊａｖａ（登録商標）アプリケーションが稼動し始める。このＪａｖａ（登録商標）アプリケーションは、ＢＤ１１１が再生装置１０１から抜き出されても再生装置１０１にて稼動を継続できるディスク・アンバウンド・アプリケーション（Ｄｉｓｃ  ＵｎＢｏｕｎｄ  Ａｐｐｌｉｃａｔｉｏｎ、以下ＤＵＢＡと表す）である。尚、このＪａｖａ（登録商標）アプリケーションのプログラムは、予め再生装置１０１のメモリ１０５に格納されていたものであってもよい。その場合は、ステップＳ２０２における再生指示を受けて、Ｊａｖａ（登録商標）アプリケーションが稼動し始める。
【００４８】
ステップＳ２０４では、Ｊａｖａ（登録商標）アプリケーションの指示を受けた制御部１０３が、「ＡＢＣ＿ＢＤ」が既に再生許可されているか否かをチェックする。例えば、実施の形態１においては、再生許可されている場合に、制御部１０３のメモリ１０５に「「ＡＢＣ＿ＢＤ」の再生許可フラグ（再生許可情報）がＯＮである」という情報が記録されるとする。再生許可されていない場合には、制御部１０３のメモリ１０５に、「「ＡＢＣ＿ＢＤ」の再生許可フラグがＯＮである」という情報が記録されていないものとし、この状態を再生許可フラグがＯＦＦの状態と呼ぶこととする。ステップＳ２０４では、制御部１０３はメモリ１０５を参照し、再生許可フラグがＯＮであるかＯＦＦであるかを調べる。
【００４９】
再生許可フラグがＯＮである場合には、直ちにステップＳ２１３の再生開始となる。つまり、ステップＳ２１３では制御部１０３は、読み出し部１０６がステップＳ２０５の第一の情報の読み出しやステップＳ２０８の第二の情報の読み出しを行わないよう制御し、ＢＤ１１１に記録された「ＡＢＣ＿ＢＤ」を再生するよう再生装置１０１を制御する。例えば、制御部１０３は読み出し部１０６、デコーダ部１０７、出力部１０８等に対しＢＤ１１１に記録された「ＡＢＣ＿ＢＤ」を再生するよう指示を出す。
【００５０】
再生許可フラグがＯＦＦである場合には、ステップＳ２０５が実行される。ステップＳ２０５では、Ｊａｖａ（登録商標）アプリケーションの指示を受けた制御部１０３が、第一の情報をＢＤ１１１から読み出して制御部１０３に出力するよう、読み出し部１０６を制御する。制御部１０３に出力された第一の情報は、メモリ１０５に格納される。
【００５１】
ステップＳ２０６では、Ｊａｖａ（登録商標）アプリケーションの指示を受けた制御部１０３は、読み出し部１０６にＢＤ１１１を排出するよう指示を出す。その指示を受けて、読み出し部１０６はＢＤ１１１を排出する。又は、制御部１０３は、ＢＤ１１１を読み出し部１０６から抜き出すようスピーカー１０９、ディスプレイ１１０を操作してユーザに指示をしてもよい。このＪａｖａ（登録商標）アプリケーションはＤＵＢＡであり、ＢＤ１１１の排出後も制御部１０３において継続動作している。制御部１０３はディスプレイ１１０に、「ＤＶＤを入れてください」というような、ユーザの次の操作を指示する表示をさせることもできる。
【００５２】
情報比較ステップＳ１０２では、読み出し部１０６が、ＤＶＤ１１２に記録された第二のコンテンツから第二の情報を読み出して制御部１０３へ出力し、制御部１０３が、第一の情報と第二の情報とを比較する。
【００５３】
具体的には、ステップＳ２０７でユーザは再生装置の読み出し部１０６にＤＶＤ１１２を挿入する。ここで、Ｊａｖａ（登録商標）アプリケーションはＤＶＤ１１２に記録された第二の映像データを再生しなくてもよい。
【００５４】
ステップＳ２０８では、Ｊａｖａ（登録商標）アプリケーションの指示を受けた制御部１０３が読み出し部１０６を制御して、読み出し部１０６はＤＶＤ１１２に記録された第二のコンテンツから第二の情報を読み出し制御部１０３へ出力する。このとき、第二の映像が第三の映像と同じ「ＡＢＣ＿ＤＶＤ」であれば、第一の情報と第二の情報とが一致するように、第二の情報としてはステップＳ２０５で読み出した第一の情報に対応する情報を読み出す。例えば、第一の情報として「ＡＢＣ＿ＤＶＤ」のタイトルを用いている場合は、第二の情報としてＤＶＤ１１２に記録された第二のコンテンツから第二の映像のタイトルを読み出す。また、第一の情報としてタイトルの全再生時間とタイトル総数を組み合わせて用いている場合は、ＤＶＤ１１２に記録された第二のコンテンツから第二の映像のタイトルの全再生時間とタイトル総数を読み出す。読み出し部１０６は、読み出した第二の情報を制御部１０３に出力する。
【００５５】
ステップＳ２０９では、Ｊａｖａ（登録商標）アプリケーションの指示を受けた制御部１０３が、ステップＳ２０８で読み出した第二の情報と、ステップＳ２０５で読み出した第一の情報とを比較する。例えば、第一の情報及び第二の情報として映像データのタイトルを用いている場合は、第一の情報における「ＡＢＣ＿ＤＶＤ」のタイトルと、第二の情報として読み出した第二の映像のタイトルを比較し、同じタイトルであれば、第一の情報と第二の情報とが一致していると判断する。第一の情報及び第二の情報としてタイトルの全再生時間とタイトル総数を組み合わせて用いている場合は、「ＡＢＣ＿ＤＶＤ」のタイトルの全再生時間と第二の情報として読み出した第二の映像におけるタイトルの全再生時間が同じであり、且つ「ＡＢＣ＿ＤＶＤ」におけるタイトル総数と第二の情報として読み出した第二の映像におけるタイトル総数とが同じであれば、第一の情報と第二の情報とが一致していると判断する。
【００５６】
ステップＳ２０９の比較の結果、第一の情報と第二の情報とが一致している場合は再生許可ステップＳ１０３が実行される。
【００５７】
ステップＳ２０９の比較の結果、第一の情報と第二の情報が一致していない場合は、再生許可フラグはＯＦＦのままである。つまり、制御部１０３は、再生装置１０１が「ＡＢＣ＿ＢＣ」を再生しないよう制御する。そしてステップＳ２１４で、他のＤＶＤを挿入するか否かをユーザが判断し、その結果をＵＩ部１０２から入力する。このとき、制御部１０３がディスプレイ１１０に「ほかのＤＶＤを入れますか？」というような表示をさせることもできる。ＵＩ部１０２はユーザの入力に応じた信号を制御部１０３に出力する。他のＤＶＤを挿入する場合は、引き続きＪａｖａ（登録商標）アプリケーションが起動し続ける。そして、ステップＳ２０７へと戻り、ユーザは異なるＤＶＤを読み出し部１０６に挿入する。他のＤＶＤを挿入しない場合は、Ｊａｖａ（登録商標）アプリケーションは中断される。ユーザはステップＳ２０７で挿入したＤＶＤ１１２を視聴することも可能である。
【００５８】
再生許可ステップＳ１０３では、前記ステップＳ２０１で挿入されたＢＤ１１１に記録された「ＡＢＣ＿ＢＤ」を再生する。
【００５９】
具体的には、ステップＳ２１０では、Ｊａｖａ（登録商標）アプリケーションの指示を受けて、制御部１０３はＳ２０１で挿入されたＢＤ１１１に記録された「ＡＢＣ＿ＢＤ」の再生を許可する再生許可フラグをＯＮにする。例えば実施の形態１においては、制御部１０３がメモリ１０５に「「ＡＢＣ＿ＢＤ」の再生許可フラグがＯＮである」という情報を記録する。
【００６０】
ステップＳ２１１で、制御部１０３は読み出し部１０６にＤＶＤ１１２を排出するよう指示を出し、読み出し部１０６がＤＶＤ１１２を排出する。尚、制御部１０３は、ＤＶＤ１１２を読み出し部１０６から抜き出すようスピーカー１０９、ディスプレイ１１０を操作してユーザに指示をしてもよい。ＤＶＤ１１２が抜き出されても、Ｊａｖａ（登録商標）アプリケーションは制御部１０３において継続動作している。ディスプレイ１１０には、「ＢＤを入れてください」というような、ユーザの次の操作を指示する表示をさせることもできる。
【００６１】
ステップＳ２１２では、ユーザがステップＳ２０１のＢＤ１１１を再度再生装置１０１の読み出し部１０６に挿入する。Ｓ２０１のＢＤ１１１が読み出し部１０６に挿入され、制御部１０３が認識すると、ステップＳ２１３が実行される。挿入されるＢＤは、記録されているコンテンツがステップＳ２０１のＢＤ１１１と同一でさえあれば、ステップＳ２０１のＢＤ１１１と物理的に異なるＢＤであってもよい。ここで、異なるコンテンツが記録されたＢＤが挿入された場合には、Ｊａｖａ（登録商標）アプリケーションは中断され、ユーザは異なるコンテンツの映像データを視聴できる。
【００６２】
ステップＳ２１３では、Ｊａｖａ（登録商標）アプリケーションの指示によって、制御部１０３は、読み出し部１０６、デコーダ部１０７及び出力部１０８に、ＢＤ１１１に記録された「ＡＢＣ＿ＢＤ」を再生するよう指示を出す。つまり、制御部１０３が再生装置１０１を制御し、ＢＤ１１１に記録された「ＡＢＣ＿ＢＤ」を再生する。
【００６３】
本発明の実施の形態１によれば、ＢＤ版の映画「ＡＢＣ」を含む第一のコンテンツが、第一の情報としてＤＶＤ版の映画「ＡＢＣ」の管理情報を含み、再生装置が、第一の情報と第二のコンテンツの第二の情報とを比較することにより、フォーマットが異なる映像データを有するコンテンツ同士の関連性の有無を特定することができる。この技術により、再生装置はＤＶＤ版の映画「ＡＢＣ」の存在を認識した上でＢＤ版の映画「ＡＢＣ」の再生を許可することが可能である。
【００６４】
近年、高精細テレビの普及に伴い、コンテンツ製作者は新作コンテンツをＢＤに記録して販売するだけでなく、過去にＤＶＤで発売されたコンテンツも再度ＢＤで再発売するといった対応を採っているが、過去にＤＶＤを購入しているユーザにとって、同一コンテンツをＢＤで再度購入することはコスト負担を強いられるものであり、敷居が高い。実施の形態１の技術を用いることにより、過去に同一コンテンツのＤＶＤを購入したユーザにのみ再生が許可されるようなＢＤコンテンツをコンテンツ製作者が安価に提供することが可能になる。コンテンツ製作者は、これによって、ＢＤの販売促進を図ることができる。また、ユーザは新規に購入するよりも安価に同一コンテンツのＢＤ版を購入することができる。
【００６５】
（実施の形態２）
実施の形態２において、第一のコンテンツはネットワーク等から取得されてＨＤ１１３に記録されており、第二のコンテンツはＤＶＤ１１２に記録されているとする。第一のコンテンツは第一の映像データと第一の情報に加えてプログラムを含むとし、第二のコンテンツは第二の映像データと第二の情報を含むとする。第一の映像データはＤＶＤとは異なるフォーマット、例えばＢＤフォーマットで記録された映画「ＡＢＣ」の映像データ（以下「ＡＢＣ＿ＢＤ」と表す）であるとする。第一の情報は第三の映像データの管理情報の一部であり、第三の映像データはＤＶＤフォーマットで記録された映画「ＡＢＣ」の映像データ（以下「ＡＢＣ＿ＤＶＤ」と表す）であるとする。つまり、実施の形態２では、第一の映像データ及び第三の映像データは同じタイトルの映画の映像データであるが、第一の映像データはＢＤフォーマットで記録されており、第三の映像データはＤＶＤフォーマットで記録されている。このように仮定すると、第一の情報は第三の映像データ「ＡＢＣ＿ＤＶＤ」の管理情報の一部ということになる。第一のコンテンツに含まれるプログラムは、Ｊａｖａ（登録商標）アプリケーションのプログラムであっても、そうではない何らかのアプリケーションのプログラムであってもよい。実施の形態２では、第一の情報と第二の情報とが一致した場合に「ＡＢＣ＿ＢＤ」が再生される。つまり、第二の映像データが「ＡＢＣ＿ＤＶＤ」であれば、第一の情報と第二の情報とが一致するので、「ＡＢＣ＿ＢＤ」が再生される。第二の映像データが「ＡＢＣ＿ＤＶＤ」でなければ、第一の情報と第二の情報とが一致しないため、「ＡＢＣ＿ＢＤ」が再生されない。
【００６６】
実施の形態２は図６のようなフローチャートで表すことができる。実施の形態１における図５と同様のステップについては、該当するステップの番号を示し、説明を省略する。図５のステップＳ２０１、Ｓ２０６、Ｓ２１２の、ＢＤの挿入、抜き出しは、第一のコンテンツがＨＤ１１３に記録されているため必要ない。また、第一の情報はＨＤ１１３に記録されているため、ステップＳ２０４で再生フラグがＯＮでない場合は、ステップＳ３０５で、ＨＤ１１３から第一の情報を読み出し、制御部１０３へ出力する。
【００６７】
実施の形態２は、情報抽出ステップＳ１０１、情報比較ステップＳ１０２、再生許可ステップＳ１０３を有する。以下、それぞれのステップについて説明する。
【００６８】
情報抽出ステップＳ１０１では、読み出し部１０６が、ＨＤ１１３に記録された第一のコンテンツから第一の情報を読み出して制御部１０３に出力する。
【００６９】
ステップＳ２０４では、アプリケーションの指示を受けた制御部１０３が、ＨＤ１１３に記録されたＨＤ画質のコンテンツが既に再生許可されているか否かをチェックする。例えば、制御部１０３のメモリ１０５に記録されている再生許可フラグのＯＮ又はＯＦＦを調べる。
【００７０】
再生許可フラグがＯＮである場合には、直ちにステップＳ３１３の再生開始となる。再生許可フラグがＯＦＦである場合には、ステップＳ３０５が実行される。ステップＳ３０５では、アプリケーションの指示を受けた制御部１０３が、第一の情報をＨＤ１１３から読み出して制御部１０３に出力するよう、読み出し部１０６を制御する。制御部１０３に出力された第一の情報は、メモリ１０５に格納される。
【００７１】
情報比較ステップＳ１０２は実施の形態１と同様である。
【００７２】
再生許可ステップＳ１０３は、ＨＤ１１３に記録された「ＡＢＣ＿ＢＤ」を再生する。ステップＳ２１１は省略することが可能である。ステップＳ３１３で、アプリケーションは、読み出し部１０６、デコーダ部１０７及び出力部１０８に、ＨＤ１１３に記録された「ＡＢＣ＿ＢＤ」を再生するよう指示を出し、再生が開始される。
【００７３】
本発明の実施の形態２によれば、高精細版の映画「ＡＢＣ」を含む第一のコンテンツが、第一の情報としてＤＶＤ版の映画「ＡＢＣ」の管理情報を含み、再生装置が、第一の情報と第二のコンテンツの第二の情報とを比較することにより、フォーマットが異なる映像データを有するコンテンツ同士の関連性の有無を特定することができる。この技術により、再生装置はＤＶＤ版の映画「ＡＢＣ」の存在を認識した上でネットワーク等を介して提供された高精細版の映画「ＡＢＣ」の再生を許可することが可能である。この技術を用いることにより、過去に同一コンテンツのＤＶＤを購入したユーザにのみ再生が許可されるような高精細コンテンツをコンテンツ製作者がネットワーク等を介して安価に提供することが可能になる。コンテンツ製作者は、これによって、高精細コンテンツの販売促進を図ることができる。また、ユーザは新規に購入するよりも安価に同一コンテンツの高精細版を購入することができる。
【００７４】
（実施の形態３）
実施の形態３において、第一のコンテンツはＢＤ１１１に記録されており、第二のコンテンツはネットワーク等から取得されＨＤ１１３に記録されているとする。第一のコンテンツは第一の映像データと第一の情報に加えてプログラムを含むとし、第二のコンテンツは第二の映像データと第二の情報を含むとする。第一の映像データはＢＤフォーマットで記録された映画「ＡＢＣ」の映像データ（以下「ＡＢＣ＿ＢＤ」と表す）であるとする。第一の情報は第三の映像データの管理情報の一部であり、第三の映像データは第一の映像データとは異なるフォーマット、例えばＤＶＤフォーマットで記録された映画「ＡＢＣ」の映像データ（以下「ＡＢＣ＿ＤＶＤ」と表す）であるとする。つまり、実施の形態３では、第一の映像データ及び第三の映像データは同じタイトルの映画の映像データであるが、第一の映像データはＢＤフォーマットで記録されており、第三の映像データはＤＶＤフォーマットで記録されている。このように仮定すると、第一の情報は第三の映像データ「ＡＢＣ＿ＤＶＤ」の管理情報の一部ということになる。第一のコンテンツに含まれるプログラムは、Ｊａｖａ（登録商標）アプリケーションのプログラムであるとする。実施の形態３では、第一の情報と第二の情報とが一致した場合に「ＡＢＣ＿ＢＤ」が再生される。つまり、第二の映像データが「ＡＢＣ＿ＤＶＤ」であれば、第一の情報と第二の情報とが一致するため「ＡＢＣ＿ＢＤ」が再生される。第二の映像データが「ＡＢＣ＿ＤＶＤ」でなければ、第一の情報と第二の情報とが一致しないため、「ＡＢＣ＿ＢＤ」が再生されない。
【００７５】
実施の形態３は図７のようなフローチャートで表すことができる。実施の形態１における図５、実施の形態２における図６と同様のステップについては、該当するステップの番号を示し説明を省略する。実施の形態１と異なり、図２のＤＶＤを挿入・抜き出しするステップＳ２０７、Ｓ２１１が必要でなくなる。更に、それに付随して、ＢＤを挿入・抜き出しするステップＳ２０６、Ｓ２１２も不要になる。
【００７６】
情報抽出ステップＳ１０１においては、ステップＳ２０６は必要ではない。
【００７７】
情報比較ステップＳ１０２では、読み出し部１０６が、ＨＤ１１３に記録された第二のコンテンツから第二の情報を読み出して制御部１０３へ出力し、制御部１０３が、第一の情報と第二の情報とを比較する。
【００７８】
ステップＳ４０８では、Ｊａｖａ（登録商標）アプリケーションの指示を受けた制御部１０３がＨＤ１１３に記録された第二のコンテンツから第二の情報を読み出す。
【００７９】
再生許可ステップＳ１０３は、ステップＳ２０１で挿入されたＢＤ１１１に記録された「ＡＢＣ＿ＢＤ」を再生する。
【００８０】
本発明の実施の形態３によれば、ＢＤ版の映画「ＡＢＣ」を含む第一のコンテンツが第一の情報として低精細版の映画「ＡＢＣ」の管理情報を含み、再生装置が、第一の情報と第二のコンテンツの第二の情報とを比較することにより、フォーマットが異なる映像データを有するコンテンツ同士の関連性の有無を特定することができる。この技術により、再生装置はＨＤに記録された低精細版の映画「ＡＢＣ」の存在を認識した上でＢＤに記録された映画「ＡＢＣ」の再生を許可することが可能である。この技術を用いることにより、過去に同一コンテンツの低精細版をネットワーク等を通じて購入しＨＤに記録したユーザにのみ再生が許可されるようなＢＤをコンテンツ製作者が安価に提供することが可能になる。コンテンツ製作者は、これによって、ＢＤの販売促進を図ることができる。また、ユーザは新規に購入するよりも安価に同一コンテンツのＢＤ版を購入することができる。
【００８１】
（実施の形態３の変形例）
実施の形態３では第一のコンテンツはＢＤ１１１に記録されているとしたが、実施の形態２のように、第一のコンテンツは、ネットワーク等から入手され、ＨＤ１１３に記録されているものであってもよい。その場合の再生方法をフローチャートで表すと、図８のようになる。
【００８２】
これによれば、高精細版の映画「ＡＢＣ」を含む第一のコンテンツが第一の情報として低精細版の映画「ＡＢＣ」の管理情報を含み、再生装置が、第一の情報と第二のコンテンツの第二の情報とを比較することにより、フォーマットが異なる映像データを有するコンテンツ同士の関連性の有無を特定することができる。この技術により、再生装置はＨＤに記録された低精細版の映画「ＡＢＣ」の存在を認識した上で、ネットワーク等を介して提供された高精細版の映画「ＡＢＣ」の再生を許可することが可能である。この技術を用いることにより、過去に同一コンテンツの低精細版をネットワーク等を通じて購入しＨＤに記録したユーザにのみ再生が許可されるような高精細版のコンテンツを、コンテンツ製作者が安価にネットワーク等を通じて提供することが可能になる。コンテンツ製作者は、これによって、高精細版コンテンツの販売促進を図ることができる。また、ユーザは新規に購入するよりも安価に同一コンテンツの高精細版を購入することができる。
【００８３】
（実施の形態４）
実施の形態４において、第一のコンテンツはＢＤ１１１に記録されており、第二のコンテンツはＤＶＤ１１２に記録されているとする。第一のコンテンツは第一の映像データと第一の情報に加えてプログラムを含むとし、第二のコンテンツは第二の映像データと第二の情報を含むとする。第一の映像データはＢＤフォーマットで記録された映画「ＡＢＣ」の映像データ（以下「ＡＢＣ＿ＢＤ」と表す）であるとする。第一の情報は第三の映像データの管理情報の一部であり、第三の映像データは第一の映像データとは異なるフォーマット、例えばＤＶＤフォーマットで記録された映画「ＡＢＣ」の映像データ（以下「ＡＢＣ＿ＤＶＤ」と表す）であるとする。つまり、実施の形態４では、第一の映像データ及び第三の映像データは同じタイトルの映画の映像データであるが、第一の映像データはＢＤフォーマットで記録されており、第三の映像データはＤＶＤフォーマットで記録されている。このように仮定すると、第一の情報は第三の映像データ「ＡＢＣ＿ＤＶＤ」の管理情報の一部ということになる。第一のコンテンツに含まれるプログラムは、Ｊａｖａ（登録商標）アプリケーションのプログラムであるとする。実施の形態４では、第一の情報と第二の情報とが一致した場合に「ＡＢＣ＿ＢＤ」が再生される。つまり、第二の映像データが「ＡＢＣ＿ＤＶＤ」であれば、第一の情報と第二の情報とが一致するため「ＡＢＣ＿ＢＤ」が再生される。第二の映像データが「ＡＢＣ＿ＤＶＤ」でなければ、第一の情報と第二の情報とが一致しないため、「ＡＢＣ＿ＢＤ」が再生されない。
【００８４】
実施の形態４では、ユーザが、ＤＶＤフォーマットの映像データを最初に再生する際、その映像データの管理情報の一部は第二の情報としてメモリ１０５に蓄積されるものとし、ＢＤ１１１に記録されている「ＡＢＤ＿ＢＤ」から読み出した第一の情報と、再生装置のメモリ１０５に蓄積されている複数の第二の情報とをそれぞれ比較して、第一の情報と一致する第二の情報が見つかったとき、ＢＤ１１１に記録されている「ＡＢＣ＿ＢＤ」を再生する再生方法について説明する。
【００８５】
実施の形態４を図９のフローチャートを用いて説明する。実施の形態１における図５と同様のステップについては、該当するステップの番号を示し説明を省略する。
【００８６】
情報抽出ステップＳ１０１では、実施の形態１と比較して、ステップＳ２０６を省略することができる。
【００８７】
情報比較ステップＳ１０２では、実施の形態１と比較して、ステップＳ２０７、ステップＳ２０８を省略することができる。ステップＳ５０９で、第一の情報と、メモリ１０５に蓄積された第二の情報とを比較する。第二の情報が複数である場合は、次々に比較していく。この際、第一の情報の一部と第二の情報の一部とを比較して一致する第二の情報を選出してから、第一の情報の全体と選出された第二の情報の全体とを比較してもよい。メモリ１０５に記録された第二の情報の中に、第一の情報と一致する情報があれば、ステップＳ２１０で再生許可フラグをＯＮにする。第一の情報と一致する第二の情報がメモリ１０５にない場合は、再生は禁止されたままである。
【００８８】
再生許可ステップＳ１０３では、実施の形態１と比較して、ステップＳ２１１、ステップＳ２１２を省略することができる。
【００８９】
以上より、実施の形態４では、実施の形態１の発明が有する効果に加えて、ＢＤ１１１を抜き出すステップＳ２０６、ＤＶＤを挿入するステップＳ２０７、ＤＶＤから第二の情報を抽出するステップＳ２０８、ＤＶＤを抜き出すステップＳ２１１、ＢＤを挿入するステップＳ２１２を省略することができる。
【００９０】
尚、実施の形態においては図１の再生装置を用いるとしたが、本発明の再生装置はこれに限定されるものではない。
【００９１】
また、本発明の情報記録媒体はＢＤ１１１、ＤＶＤ１１２、ＨＤ１１３に限定されない。例えば、ＳＤカードや、今後開発されるＢＤ以上に大容量の光ディスク等の情報記録媒体を用いることも可能である。
【００９２】
また、半導体集積回路１１４は１個のチップであっても、複数個のチップの集合であってもよい。
【００９３】
また、管理情報の例を図２、図３、図４に示したが、これらはあくまでＤＶＤフォーマットで記録された映像データの管理情報の例であり、本発明の管理情報はこれらに限定されない。
【００９４】
また、第一のコンテンツ、第二のコンテンツ、第一の映像データ、第二の映像データ、第三の映像データ、第一の情報、第二の情報、プログラムは実施の形態の例に限定されるものではない。第一の映像データと第三の映像データとが同じタイトルの映画の映像データである必要は無く、関連付けたい映像データ同士であればよい。第一の映像データがＢＤフォーマットで、第三の映像データがＤＶＤフォーマットである必要は無く、第一の映像データがＢＤよりも更に高精細なフォーマットであり、第三の映像データがＢＤフォーマットである場合も考えられる。
【００９５】
また、再生許可のチェック方法は実施の形態に記載した方法に限定されない。例えば、再生許可されている場合に、制御部１０３のメモリ１０５に「「ＡＢＣ＿ＢＤ」の再生許可フラグがＯＮである」という情報が記録され、再生許可されていない場合に、制御部１０３のメモリ１０５に「「ＡＢＣ＿ＢＤ」の再生禁止フラグがＯＮである」という情報が記録されるような構成が考えられる。このような構成では、ステップＳ２０４において制御部１０３がメモリ１０５を参照して、再生許可フラグのＯＮ又はＯＦＦ及び再生禁止フラグのＯＮ又はＯＦＦを調べるというチェック方法が考えられる。
【産業上の利用可能性】
【００９６】
光ディスク等、異なるフォーマットの情報記録媒体が混在している状況において、本発明により、フォーマットが異なる映像データを持つコンテンツ同士の関連性の有無を特定して、関連性が有るときに映像データを再生する再生装置や再生方法等を提供することができる。
【符号の説明】
【００９７】
１０１      再生装置
１０２      ＵＩ部
１０３      制御部
１０４      ＣＰＵ
１０５      メモリ（記録部）
１０６      読み出し部
１０７      デコーダ部
１０８      出力部
１０９      スピーカー
１１０      ディスプレイ
１１１      ＢＤ
１１２      ＤＶＤ
１１３      ＨＤ
１１４      半導体集積回路
【図１】
2010143243.tif 000003
【図２】
2010143243.tif 000004
【図３】
2010143243.tif 000005
【図４】
2010143243.tif 000006
【図５】
2010143243.tif 000007
【図６】
2010143243.tif 000008
【図７】
2010143243.tif 000009
【図８】
2010143243.tif 000010
【図９】
2010143243.tif 000011
【国際調査報告】
2010143243.tif 000012
2010143243.tif 000013